【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
場面の積層深度データを生成するためのコンピュータ実装方法であって、
−  前記場面を表す光照射野コンテンツからの画像の深度マップを演算することであって、前記画像が、所定のビュー方向に従って見られる、演算することと、
−  前記光照射野コンテンツからの前記画像の前記ビュー方向とは異なる第１の方向において、前記光照射野コンテンツからの前記画像と関連付けられた第１のオクルージョン情報セットを演算することと、
−  前記光照射野コンテンツからの前記画像の前記ビュー方向及び前記第１の方向とは異なる少なくとも第２の方向において、前記光照射野コンテンツからの前記画像と関連付けられた少なくとも第２のオクルージョン情報セットを演算することであって、前記第１のオクルージョン情報セット及び前記第２のオクルージョン情報セットが、第３のオクルージョン情報セットを生成するために共にマージされる、演算することと、
−  前記場面の前記積層深度データを生成するために、前記光照射野コンテンツからの前記画像、前記深度マップ、及び前記第３のオクルージョン情報セットを集約することと
を含む、方法。
【請求項２】
前記第１及び前記第２のオクルージョン情報セットを演算することが、前記第１の方向及び前記第２の方向のそれぞれにおいて、前記光照射野コンテンツからの前記画像を前記光照射野コンテンツからの別の隣接画像と比較することを含む、請求項１に記載の方法。
【請求項３】
場面の積層深度データを生成するための装置であって、
−  前記場面を表す光照射野コンテンツからの画像の深度マップを演算することであって、前記画像が、所定のビュー方向に従って見られる、演算することと、
−  前記光照射野コンテンツからの前記画像の前記ビュー方向とは異なる第１の方向において、前記光照射野コンテンツからの前記画像と関連付けられた第１のオクルージョン情報セットを演算することと、
−  前記光照射野コンテンツからの前記画像の前記ビュー方向及び前記第１の方向とは異なる少なくとも第２の方向において、前記光照射野コンテンツからの前記画像と関連付けられた少なくとも第２のオクルージョン情報セットを演算することであって、前記第１のオクルージョン情報セット及び前記第２のオクルージョン情報セットが、第３のオクルージョン情報セットを生成するために共にマージされる、演算することと、
−  前記場面の前記積層深度データを生成するために、前記光照射野コンテンツからの前記画像、前記深度マップ、及び前記第３のオクルージョン情報セットを集約することと
を行うように構成されたプロセッサを含む、装置。
【請求項４】
前記第１及び前記第２のオクルージョン情報セットを演算することが、前記第１の方向及び前記第２の方向のそれぞれにおいて、前記コンテンツ光照射野の前記画像を前記光照射野コンテンツからの別の隣接画像と比較することを含む、請求項３に記載の装置。
【請求項５】
場面を表す光照射野コンテンツを処理するための方法であって、前記場面の前記光照射野コンテンツと関連付けられた前記場面の積層深度データに基づいて前記光照射野コンテンツを処理することを含む、方法であり、前記積層深度データが、前記光照射野コンテンツからの画像の深度マップと、前記光照射野コンテンツからの前記画像と関連付けられた第１のオクルージョン情報セットであって、前記光照射野コンテンツからの前記画像のビュー方向とは異なる第１の方向において演算された第１のオクルージョン情報セットと、前記光照射野コンテンツからの前記画像と関連付けられた第２のオクルージョン情報セットであって、少なくとも前記光照射野コンテンツからの前記画像のビュー方向とは異なる第２の方向において演算された少なくとも第２のオクルージョン情報セットとを含み、前記第１のオクルージョン情報セット及び前記第２のオクルージョン情報セットが、共にマージされる、方法。
【手続補正２】
【補正対象書類名】明細書
【補正対象項目名】００６８
【補正方法】変更
【補正の内容】
【００６８】
多くのさらなる変更形態及び変形形態は、前述の例示的な実施形態を参照する際にそれら自体を当業者に示唆し、前述の例示的な実施形態は、単なる例示として提供され、本発明の範囲を制限することを意図せず、本発明の範囲は、添付の請求項によってのみ決定される。特に、異なる実施形態からの異なる特徴は、適切な場合に、交換可能であり得る。
［付記１］
場面の積層深度データを生成するためのコンピュータ実装方法であって、
−  前記場面を表す光照射野コンテンツからの画像の深度マップを演算することであって、前記画像が、所定のビュー方向に従って見られる、演算することと、
−  前記光照射野コンテンツからの前記画像の前記ビュー方向とは異なる第１の方向において、前記光照射野コンテンツからの前記画像と関連付けられた第１のオクルージョン情報セットを演算することと、
−  前記光照射野コンテンツからの前記画像の前記ビュー方向及び前記第１の方向とは異なる少なくとも第２の方向において、前記光照射野コンテンツからの前記画像と関連付けられた少なくとも第２のオクルージョン情報セットを演算することと、
−  前記場面の前記積層深度データを生成するために、前記されたコンテンツからの前記画像、前記深度マップ、前記第１のオクルージョン情報セット及び前記第２のオクルージョン情報セットを集約することと
を含む、方法。
［付記２］
前記第１のオクルージョン情報セット及び前記第２のオクルージョン情報セットが、第３のオクルージョン情報セットを生成するために共にマージされ、前記第３の情報セットが、前記場面の前記積層深度データを生成するために、前記光照射野コンテンツからの前記画像及び前記深度マップと集約される、付記１に記載の方法。
［付記３］
前記第１及び前記第２のオクルージョン情報セットを演算することが、前記第１及び前記第２のそれぞれの方向において、前記光照射野コンテンツからの前記画像を前記光照射野コンテンツからの別の隣接画像と比較することにある、付記１又は２に記載の方法。
［付記４］
場面の積層深度データを生成するための装置であって、
−  前記場面を表す光照射野コンテンツからの画像の深度マップを演算することであって、前記画像が、所定のビュー方向に従って見られる、演算することと、
−  前記光照射野コンテンツからの前記画像の前記ビュー方向とは異なる第１の方向において、前記光照射野コンテンツからの前記画像と関連付けられた第１のオクルージョン情報セットを演算することと、
−  前記光照射野コンテンツからの前記画像の前記ビュー方向及び前記第１の方向とは異なる少なくとも第２の方向において、前記光照射野コンテンツからの前記画像と関連付けられた少なくとも第２のオクルージョン情報セットを演算することと、
−  前記場面の前記積層深度データを生成するために、前記光照射野コンテンツからの前記画像、前記深度マップ、前記第１のオクルージョン情報セット及び前記第２のオクルージョン情報セットを集約することと
を行うように構成されたプロセッサを含む、装置。
［付記５］
前記第１のオクルージョン情報セット及び前記第２のオクルージョン情報セットが、第３のオクルージョン情報セットを生成するために共にマージされ、前記第３の情報セットが、前記場面の前記積層深度データを生成するために、前記光照射野コンテンツからの前記画像及び前記深度マップと集約される、付記４に記載の装置。
［付記６］
前記第１及び前記第２のオクルージョン情報セットを演算することが、前記第１及び前記第２のそれぞれの方向において、前記コンテンツ光照射野の前記画像を前記光照射野コンテンツからの別の隣接画像と比較することにある、付記４又は５に記載の装置。
［付記７］
場面を表す光照射野コンテンツを処理するための方法であって、前記場面の前記光照射野コンテンツと関連付けられた前記場面の積層深度データに基づいて前記光照射野コンテンツを処理することを含む、方法であり、前記積層深度データが、前記光照射野コンテンツからの画像の深度マップと、前記光照射野コンテンツからの前記画像と関連付けられた第１のオクルージョン情報セットであって、前記光照射野コンテンツからの前記画像のビュー方向とは異なる第１の方向において演算された第１のオクルージョン情報セットと、前記光照射野コンテンツからの前記画像と関連付けられた第２のオクルージョン情報セットであって、少なくとも前記光照射野コンテンツからの前記画像のビュー方向とは異なる第２の方向において演算された少なくとも第２のオクルージョン情報セットとを含む、方法。
［付記８］
場面の積層深度データの生成が可能な第１の装置によって、前記場面の前記積層深度データの処理が可能な第２の装置に送信される信号であって、前記場面の前記積層深度データを含むメッセージを伝える信号であり、前記積層深度データが、前記場面の光照射野コンテンツからの画像の深度マップと、前記光照射野コンテンツからの前記画像と関連付けられた第１のオクルージョン情報セットであって、前記光照射野コンテンツからの前記画像のビュー方向とは異なる第１の方向において演算された第１のオクルージョン情報セットと、前記光照射野コンテンツからの前記画像と関連付けられた第２のオクルージョン情報セットであって、前記光照射野コンテンツからの前記画像のビュー方向とは異なる第２の方向において演算された少なくとも第２のオクルージョン情報セットとを含み、前記第２の装置による前記捕捉画像の前記処理が、前記積層深度データに基づく、信号。
［付記９］
プログラムがプロセッサによって実行されると、付記１から３のいずれか一項に記載の場面の積層深度データを生成するための方法を実装するためのプログラムコード命令を含むことを特徴とするコンピュータプログラム。